(57)【要約】      （修正有）【課題】従来は挿入されたトライアルレンズの数値をオペレータが全て手書きで記録しなければならず、時間がかかり間違いが発生しやすかった。【解決手段】視力検査システム１０を用いて被検者の眼をテストする方法に関するものであり、視力検査システムのトライアルフレームは眼の前に配置され、前記トライアルフレームは、少なくとも１つのトライアルレンズを有し、そのトライアルレンズを特徴付ける光学パラメータの少なくとも１つの数値が、表示装置１１のカメラ装置１３のカメラ１４によって記録され、前記表示装置は、その視力検査システムの制御装置によって制御され、前記数値は、画像処理を用いて前記制御装置によって特定され、前記数値は、球及び／又は円筒及び／又は軸及び／又はプリズムについて特定される。【選択図】図１
2020199250.tif 000002
【特許請求の範囲】
【請求項１】
視力検査システム（１０）を用いて被検者の眼をテストする方法であって、前記視力検査システムのトライアルフレームは、前記眼の前に配置され、前記トライアルフレームは、少なくとも１つのトライアルレンズ（１５，２０）を有し、
前記トライアルレンズを特徴付ける光学パラメータの少なくとも１つの数値が、前記視力検査システムの表示装置（１１）のカメラ装置（１３）のカメラ（１４）によって記録され、
前記表示装置は、前記視力検査システムの制御装置によって制御され、
前記数値は、画像処理を用いて前記制御装置によって特定され、
前記数値は、球及び／又は円筒及び／又は軸及び／又はプリズムについて特定される
ことを特徴とする方法。
【請求項２】
視力検査シンボルは、前記表示装置（１１）のスクリーン（１２）によって、前記被検者の少なくとも１つの眼に対して視覚化されることを特徴とする、
請求項１に記載の方法。
【請求項３】
前記カメラ（１４）は、前記表示装置（１１）の少なくとも１つの入力要素によって起動されることを特徴とする、
請求項１又は請求項２に記載の方法。
【請求項４】
前記制御装置は、前記視力検査システム（１０）のデータベースに、前記数値を記憶することを特徴とする、
請求項１−３のいずれか１項に記載の方法。
【請求項５】
前記眼の主観的屈折は、前記トライアルフレームによって確定されることを特徴とする、
請求項１−４のいずれか１項に記載の方法。
【請求項６】
前記被検者の顔認識は、前記カメラ装置（１３）の前記カメラ（１４）又は別のカメラによって行われることを特徴とする、
請求項１−５のいずれか１項に記載の方法。
【請求項７】
前記視力検査システム（１０）は、前記視力検査システムの音声操作式制御装置によって制御されることを特徴とする、
請求項１−６のいずれか１項に記載の方法。
【請求項８】
被検者の眼の検査のための視力検査システム（１０）であって、
前記視力検査システムは、表示装置（１１）を包含し、
前記表示装置は、それによって視力検査シンボルが、前記被検者の少なくとも1つの眼について視覚化され得るスクリーン（１２）を包含し、
前記視力検査システムのトライアルフレームは、前記眼の前に配置され得て、
前記トライアルフレームは、少なくとも１つのトライアルレンズ（１５，２０）を有する
視力検査システムであり、
前記表示装置は、それによって前記トライアルレンズを特徴付ける光学パラメータの少なくとも１つの数値が記録され得るカメラ（１４）を有するカメラ装置（１３）を含み、
前記視力検査システムは、それによって表示装置が制御され得る制御装置を含み、
前記数値は、画像処理を用いて、前記制御装置により特定可能であることを特徴とする視力検査システム。
【請求項９】
前記スクリーン（１２）、及び前記カメラ（１４）が、前記表示装置（１１）の共通のハウジング内に配置されていることを特徴とする、
請求項８に記載の視力検査システム。
【請求項１０】
前記カメラ装置（１３）が、前記表示装置（１１）内の格納ポジションに移動する、又は前記表示装置の外の記録ポジションに移動し得ることを特徴とする、
請求項８又は請求項９に記載の視力検査システム。
【請求項１１】
前記スクリーン（１２）がバックライト付きであることを特徴とする、
請求項８−１０のいずれか１項に記載の視力検査システム。
【請求項１２】
前記表示装置（１１）は、表示表面サイズが、視力検査では、前記眼と表示との間の距離が３ｍ−１０ｍ、好ましくは４ｍ−８ｍで実現される固定された距離テスト表示装置を含み、及び/又は表示表面サイズが、視力検査では、前記眼と前記表示との間の距離が１０ｃｍ−３ｍ、好ましくは３０ｃｍ−１ｍで実現される携帯可能な近接テスト表示装置を含むことを特徴とする、
請求項８−１１のいずれか１項に記載の視力検査システム。
【請求項１３】
前記トライアルフレームがフォロプターとして実現されることを特徴とする、
請求項８−１２のいずれか１項に記載の視力検査システム。
【請求項１４】
前記表示装置（１１）は、それによって、前記トライアルフレーム、及び／又は前記眼が照らされ得る照明装置を含むことを特徴とする、
請求項８−１３のいずれか１項に記載の視力検査システム。
【請求項１５】
前記照明装置は、赤外光源を含むことを特徴とする、
請求項１４に記載の視力検査システム。
【請求項１６】
前記トライアルレンズ（１５，２０）は、ハンドル（１８，２３）を有し、好ましくはプラスチックから作られるフレーム（１７，２２）を含み、、前記フレームは、前記トライアルフレームの保持ユニットによって収容されることを特徴とする、
請求項８−１５のいずれか１項に記載の視力検査システム。
【請求項１７】
前記フレーム（１７，２２）は、前記数値を示す刻印（１９，２４）を含むことを特徴とする、
請求項１６に記載の視力検査システム。
【請求項１８】
前記フレーム（１７，２２）は、ＲＦＩＤトランスポンダ、及び／又はデータコードを含むことを特徴とする、
請求項１６又は請求項１７に記載の視力検査システム。
【請求項１９】
前記視力検査システム（１０）は、前記表示装置（１１）を制御するための制御装置を包含することを特徴とする、
請求項８−１８のいずれか１項に記載の視力検査システム。
【請求項２０】
前記トライアルフレームは、複数のトライアルレンズ（１５，２０）を収容し得ることを特徴とする、
請求項８−１９のいずれか１項に記載の視力検査システム。
【請求項２１】
前記トライアルフレームは、好ましくは、軸の数値を表示するための目盛りを含むことを特徴とする、
請求項８−２０のいずれか１項に記載の視力検査システム。
【請求項２２】
円筒状のトライアルレンズ（２０）は、前記トライアルレンズのフレーム（２２）に、好ましくは、前記フレームのハンドル（２３）に、開口（２５）を含むことを特徴とする、
請求項２１に記載の視力検査システム。
【発明の詳細な説明】
【技術分野】
【０００１】
本発明は、視力検査システムと共に、視力検査システムを用いて被検者の眼を検査するための方法に関するものであり、視力検査システムのトライアルフレームが目の前に配置され、このトライアルフレームは少なくとも１つのトライアルレンズを有する。
【背景技術】
【０００２】
このような視力検査システムは、最先端技術水準から十分に知られており、眼の検査を実行するために一般的に使用される。例えば、既知の視力検査システムは、それによって視力検査記号が視覚化される、又は被検者に提示されるスクリーンを有する表示装置を設ける。そのような視力検査システムはまた、オペレータが画面上での視力検査シンボルの表示を制御することができる制御装置を含み得る。スクリーンの種類に依存して、前記スクリーンはまた、直線偏光、又は円偏光を利用し得る。スクリーンの偏光は、被検者の眼の前に配置されたトライアルフレーム、又はフォロプターに関連して、眼の検査を実行するために一般的に利用される。さらに、視力検査システムは、例えば、被検者の眼を測定するために利用可能なカメラを有するカメラ装置を含み得る。被検者の眼の主観的屈折は、トライアルフレームのトライアルレンズまたはフォロプターのトライアルレンズに関連して、さまざまな視力検査シンボルを提示する視力検査システムのオペレータによって決定される。被検者の眼の主観的屈折は、トライアルフレームのトライアルレンズ、又はフォロプターのそれに関連して、さまざまな視力検査シンボルを提示する視力検査システムのオペレータによって決定される。ここで、一般的に既知であるさまざまな眼の検査、特に近視の検査及び遠視の検査も又、視力検査システムを用いて実行され得る。そのような視力検査システムは、例えば、EP 3 192 432 A2に開示される。
【０００３】
さらに、EP 3 179 296 A1のみならずEP 3 178 376 A1も、被検者の主観的屈折を決定することに役立つトライアルフレームをそれぞれ開示しており、それは視力検査システムと組み合わせて使用される。このトライアルフレームは、トライアルレンズ、又はインサートレンズを受けるための２つのレンズ保持装置、レンズ保持装置を互いからの距離に関して調節可能なように連結するブリッジ、ノーズレスト装置を備えており、そのノーズレスト装置は、回転可能で高さが調節可能なノーズレストと、長さと高さが調節可能な２つのテンプルとを備える。さらに、レンズ保持装置は、それぞれがトライアルレンズ、又はインサートレンズを固定するために少なくとも1つの押圧フィンガーを包含する複数のレンズ台座を有する。レンズ台座は、トライアルレンズを保ち、又はその外周にレンズを挿入することができる少なくとも２個、又は３個のクロスピースから、それぞれ実現される。その結果、例えば近視、遠視、及び乱視などの矯正のために、いくつかのトライアルレンズを同時に採用することができる。
【発明の概要】
【発明が解決しようとする課題】
【０００４】
屈折異常（近視、遠視）の矯正には球面トライアルレンズを、乱視（角膜の凸凹）や両眼視機能障害の矯正にはシリンドリカルトライアルレンズ、又はプリズムトライアルレンズが用いられる。これによれば、それぞれのトライアルレンズは、少なくとも１つの対応する光学パラメータ、特に球体、円柱、又はプリズムによって分類、又は特徴づけられる。したがって、トライアルレンズは、光学パラメータの数値を示すことにより、完全に特徴づけられる。このように、トライアルレンズは、例えば、１．５（ディオプトリ）の数値を有する球面トライアルレンズであってよい。トライアルレンズの間でより良いものと区別するために、トライアルレンズには、一般的に、数値を表示する刻印がある。しばしば、この刻印はトライアルレンズのフレームのハンドルに適用される。被検者の眼を検査する時、異なるトライアルレンズを、その後レンズ台座に挿入することができ、それぞれの挿入手順の後、被検者は、被検者の目を通して視力検査シンボルの識別を主観的に最適化するトライアルレンズ、又はトライアルレンズ群の組み合わせが見つかるまで、その結果を尋ねられる。ここで、しかしながら欠点としては、挿入されたトライアルレンズの数値をオペレータが全て手書きで記録しなければならないことが挙げられる。これは、一方では時間がかかり、又他方では間違いが発生しやすく、特に値を写す時に間違いが発生しがちである。
【課題を解決するための手段】
【０００５】
したがって、本発明は、それによって視力検査をより容易に行うことができる視力検査システムだけでなく、視力検査システムを用いて被検者の眼を検査する方法を提案する目的に基づいている。
【０００６】
この目的は、請求項１の特徴を持つ方法、及び請求項８の特徴を持つ視力検査システムにより実現される。
【０００７】
視力検査システムを用いて、被検者の眼の検査を行うための方法の場合、視力検査システムのトライアルフレームは眼の前に配置され、そのトライアルフレームは、少なくとも1つのトライアルレンズを有しており、トライアルレンズを特徴付ける光学パラメータの少なくとも１つの数値は、視力検査システムの表示装置のカメラ装置のカメラによって記録され、その表示装置は視力検査システムの制御装置によって制御され、その数値は画像処理を用いて制御装置によって特定され、その数値は、球及び／又は円筒及び／又は軸及び／又はプリズムについて特定される。
【０００８】
したがって、表示装置は、それによってトライアルレンズを特徴付ける光学パラメータの数値が記録されるカメラを有するカメラ装置を含む。さらに、視力検査システムは、表示装置を制御し、画像処理を用いて光学パラメータの数値を特定する制御装置を包含する。その結果、オペレータは、それぞれの挿入手順の前、又は後にトライアルレンズ上で印刷され得る数値を、これ以上手で書き留める、又は換言すれば文書化する必要がないが、その理由は、このタスクは、今や、制御装置と組み合わせてカメラによって引き継がれるからである。それゆえ、眼の検査の時間の消費、及び眼の検査の誤り率が、大きく削減され得る。その結果、さらにより簡単に眼の検査を行うことが可能になる。
【０００９】
本発明に従って、数値は、球及び／又は円筒及び／又は軸及び／又はプリズムについて特定される。それゆえ、眼鏡の処方箋、又は眼鏡店が提供するデータカード（「ブリレンパス（Brillenpass）」と呼ばれ、ドイツでは一般的である）に関連する全ての値は、画像処理を用いて直接に特定される。
【００１０】
有利なことには、視力検査シンボルは、表示装置のスクリーンによって、被検者の少なくとも1つの眼に対して可視化され得る。その数値は、視力検査シンボルが示される前であっても、挿入手順の直後に特定され得る。それにも関わらず、特定は又、視力検査シンボルの視覚化の間に、又はその後に、後続のどの挿入手順の前にも行われ得る。
【００１１】
さらに、カメラは、表示装置の少なくとも１つの入力要素によって操作され得る。例えば、入力要素は、トライアルレンズを挿入した後にオペレータ、又は被検者によって操作され得るプッシュボタン、回転ノブ、又はタッチ感知面であってもよい。入力要素が操作される前に、トライアルフレームは、ここで、カメラによる数値の光学的特定に好ましい位置に移動させることができる。これは、被検者が、自身の頭部を、そこにトライアルフレームが配置され得る対応する位置に動かすことで実現され得る。さらに、カメラは、例えば多関節アームによって移動可能であるように設計されると想定され得る。よって、その結果、可能な最良の方法で数値が特定されるような方法で、トライアルフレームに対してカメラを方向付けることも可能である。入力要素はまた、例えば、リモートコントロールで操作され得る視力検査システムの制御装置に組み込まれ得て、例えば、携帯電話、又はタブレットコンピュータに組み込まれ得る。さらに、カメラの操作を話し言葉によって作動させることができるように、制御装置は音声操作され得る。それにもかかわらず、カメラは、入力要素の追加動作なしで、数値を自動的に特定することが想定され得る。
【００１２】
本発明の構造的に有利な設計において、制御装置は、数値を、視力検査システムのデータベースに記憶し得る。それゆえ、眼の検査中、又は検査後、オペレータは、眼の検査のフレームワークの中で、それまでに、又は全体を通じて、どのトライアルレンズ、又はトライアルレンズの組み合わせが使用されてきたかを簡単な方法で把握し得る。被検者は、その後、それぞれの挿入手順の後、被検者の主観的視覚印象の変化について、フィードバックを与え得る。例えば、被検者は、直前に保持ユニット内にあったトライアルレンズを用いた場合より、今、この時にトライアルフレームの保持ユニット、又はレンズ保持装置内にあるトライアルレンズを用いた場合のほうが、視力検査シンボルをより鮮明に見ることができると言い得る。ここで、主観的視覚印象の変化における情報は、表示装置の入力要素によって入力され、また、制御装置によってデータベースに記憶もされる。それゆえ、どのトライアルレンズ、又はトライアルレンズの選択が、被検者の主観的視覚印象の向上、又は低下につながるか、又はつながったかを文書化することは容易である。眼鏡処方箋に関連し、及び被検者の最適化された、又は最も明確な主観的視覚印象に結びつくすべての数値は、視力検査の終了時にデータベースに保存され、必要に応じて、例えば印刷された眼鏡処方箋の形で出力され得る。
【００１３】
眼の主観的屈折は、トライアルフレームを用いてもまた確定され得る。さらに、トライアルフレームは、単眼、又は両眼視力検査を実施できるように、それぞれの場合に、色再現、及び/又は画面の偏光に適応したカラーフィルタ、又は偏光フィルタを含み得る。例えば、もし直線偏光、又は円偏光を有するトライアルフレームが使用されるなら、視力検査システムの表示装置は、トライアルフレームと一致して偏光するように選択され得る。例えば、λ/４フィルタを用いた偏光は、それゆえ必要ない。
【００１４】
本発明の特別なさらなる実施形態においては、被検者の顔認識は、カメラ装置のカメラ、又は別のカメラを用いて行われ得る。有利なことには、顔認識は、実際の眼の検査が開始される前に行われ得る。それからカメラは、被検者の眼が既に視力検査システムを使って検査されたかを認識し、該当する場合は被検者の電子ファイルを開き、さもなければ新しいファイルを作成する。
【００１５】
さらに、視力検査装置は、視力検査装置の音声操作式制御装置によって制御され得る。したがって、被検者は、挿入されたトライアルレンズの選択により、被検者の主観的視覚的印象が、挿入されたトライアルレンズの以前の選択と比較して、挿入されたトライアルレンズの選択がより良い、又はより悪い場合に、例えば「より良い」、又は「より悪い」というような話し言葉によって、制御装置に伝え得る。
【００１６】
被検者の眼の検査のための本発明による視力検査システムは、表示装置を包含し、前記表示装置は、それによって視力検査シンボルが、被検者の少なくとも1つの眼について視覚化され得るスクリーンを包含し、その視力検査システムのトライアルフレームは、その眼の前に配置され得て、前記トライアルフレームは、少なくとも１つのトライアルレンズを有し、前記表示装置は、それによって、そのトライアルレンズを特徴付ける光学パラメータの少なくとも１つの数値が記録され得るカメラを有するカメラ装置を含み、前記視力検査システムは、それによって、その表示装置が制御され得る制御装置を含み、前記数値は、画像処理を用いて、その制御装置により特定可能である。本発明の視力検査システムの有利な効果に関して、本発明に従った方法の利点の説明を参照する。
【００１７】
本発明の有利なバージョンでは、そのスクリーン及びそのカメラは、その表示装置の共通のハウジング内に配置され得る。その場合、視力検査システムは、眼の検査を実施するための、及び眼鏡を調整するための、互いに結合されているが、互いに間隔が空けられている複数の装置を必要としないので、特に管理が容易にもなる。
【００１８】
本発明の都合の良い構造設計によれば、そのカメラ装置は、その表示装置内の格納ポジションに移動可能である、又は表示装置外の記録ポジションに移動可能である。さらに、カメラ装置は、必要であれば、カメラを、例えばその画面の後ろ側の格納ポジションに下げたり、又はカメラ録画のために画面に隣接した記録ポジションに移動させたりすることができるように、その画面に配置され得る。格納ポジションからその記録ポジション、及びその逆のカメラの移動は、カメラ装置のドライブユニットによって行われ得る。もし、比較的大きなカメラが使用されるなら、そのカメラが省スペースで画面の後ろに配置され得るように、偏向プリズムが想定され得る。
【００１９】
その画面がバックライト付きであることもまた想定され得る。ここで、そのスクリーンのスクリーン輝度は周囲輝度に適応され得て、そのスクリーン輝度は周囲輝度の関数として比例的に適応され得る。
【００２０】
有利なことには、表示装置は、表示表面サイズが、視力検査では、眼とディスプレイとの間の距離が３ｍ−１０ｍ、好ましくは４ｍ−８ｍで実現される固定された距離テスト（distance-test）表示装置を含み、及び/又は表示表面サイズが、視力検査では、眼とディスプレイとの間の距離が１０ｃｍ−３ｍ、好ましくは３０ｃｍ−１ｍで実現される携帯可能な近接テスト（close-test）表示装置を含み得る。距離テスト表示装置は、この場合、その遠見視力をテストするための視力検査シンボルを表示するために利用され得、また、近接テスト表示装置は、その近見視力を検査するための視力検査シンボルを表示するために利用され得る。視力検査システムは、該当する場合には、他の表示装置だけではなく、その距離テスト表示装置、又はその近接テスト表示装置を含み得て、又は、該当する場合には、距離テスト表示装置、及び近接テスト表示装置、及び他の表示装置を含み得る。距離テスト表示装置は、好ましくは、上述の被検者の眼からの距離に固定して配置され得て、又は壁に取り付けられ得る。もし、その被検者が、眼の検査を行うために距離テスト表示装置に対して所定の距離に配置されたなら、眼と、その距離テスト表示装置との間の距離は正確に決定され得る。また、その距離テスト表示装置の表示面サイズは、その距離テスト表示装置の表示面に、比較的大きな視力検査シンボルが表示されるかもしれないため、その場合、その近接テスト表示装置の表示面サイズより何倍もの大きさにもなり得る。その近接テスト表示装置は携帯可能に扱われ得るという事実のため、オペレータ、又は被検者は、上述の眼からの距離の範囲内で、被検者の眼に対して、ほとんど自由な距離で保持または配置され得る。対応する眼の検査は、よって、眼と近接テスト表示装置との間の様々な距離で実施され得る。距離テスト表示装置と、近接テスト表示装置との両方は、視力検査システムの制御装置を用いて、オペレータによってリモートコントロールで操作され得る。ここで、携帯電話、タブレットコンピュータ等が、その制御装置として想定され得る。近接テスト表示装置はまた、携帯電話、タブレットコンピュータ等であり得る。
【００２１】
本発明の有利なバージョンでは、そのトライアルフレームはフォロプターとして実現され得る。
【００２２】
有利なことには、その表示装置は、それによって、そのトライアルフレーム及び/又は眼が照らされ得る照明装置を含み得る。特に、眼の検査が、薄明視、又は暗所視の条件下で実施されている時は、周囲の光量の低下のため、ある種の眼の検査を実施するためのカメラ装置を用いると、被検者の眼を撮影することが困難である。また、カメラ装置、又はカメラを用いて、上述した光条件の下でそのトライアルレンズを特徴付ける、光学パラメータの数値を記録することが困難であることがわかることもあろう。表示装置の照明装置は、これを救済し得る。その照明装置を、トライアルフレームに組み込むことも想定され得る。
【００２３】
照明装置は、好ましくは赤外光源を含み得る。被検者の眼、又はトライアルフレーム、特にトライアルレンズは、周囲の照明に関係なく、赤外光源を用いて赤外線で照らされ得て、対応するように適応されたカメラ装置によって記録され得る。特に、そのカメラは、その場合、赤外線カメラであり得る。よって、視力検査は、その場合、周囲の光量の影響を受けずに行い得る。有益なことには、被検者はまた、このような方法で、眼が赤外線で照らされるために眼がくらまされることを防ぎ得る。照明装置は、複数の赤外光源、例えば赤外線発光ダイオードを包含することも想定され得る。その赤外光源は、カメラ装置に直接に隣接して配置され得る。その赤外光源はまた、それがトライアルレンズを直接に照らすように、そのトライアルフレームに配置され得る。
【００２４】
さらに、トライアルレンズは、ハンドルを有し、及び好ましくはプラスチックから作られたフレームを含み得て、前記フレームは、トライアルフレームの保持ユニットによって収容され得る。したがって、そのトライアルレンズのレンズは、フレームに収容され得て、そのレンズの境界でフレームによって保護され得る。保持ユニット、又はレンズ保持装置は、いくつかのトライアルレンズ、又はインサートレンズが同時に挿入され得る複数のレンズ台座を含み得る。レンズ台座は、トライアルレンズを保ち、又はその外周にレンズを挿入することができる少なくとも２個、又は３個のクロスピース（crosspieces）から、それぞれ実現され得る。ここで、そのレンズ台座は、そのガラスを傷などの損傷から保護するために、クロスピースが、トライアルレンズのフレームによってのみ接触されるような方法で実現され得る。さらに、レンズ台座は、それぞれの例において、トライアルレンズを固定するための少なくとも１つの押圧フィンガーを含み得る。そのハンドルにより、トライアルレンズは簡単にその保持ユニットに挿入され得て、又は使用後にそこから取り外され得る。そのトライアルレンズは、好ましくは、それらが使用されないときは、ケース、又は袋に収納され、そのトライアルレンズは、有益には、オペレータが、そのハンドルによって、そのケースから取り出し得るような方法で、そのケースに収納される。
【００２５】
本発明の有利なバージョンでは、そのフレームは、その数値を示した刻印を含み得る。ここでは、数値は、そのフレームの素材に直接印刷され得て、さもなければ、そのフレームは、その数値が当てはめられ得るシール、又は粘着ラベルを含み得る。ここでは、その刻印の印刷インクは、最高の状態で、そのカメラによって記録され得るように選択され得る。特に、そのハンドルは、その刻印を含み得る。
【００２６】
そのフレームはまた、ＲＦＩＤトランスポンダ、及び／又はデータコードを含み得る。これによれば、光学パラメータの数値はまた、データコードによって、及び/又はＲＦＩＤトランスポンダを用いて、エンコードされ得る。ＲＦＩＤトランスポンダが使用される時、例えば、トライアルレンズは過去に既にどのくらい頻繁に使用されたか、という追加情報又はデータが、そのＲＦＩＤトランスポンダのマイクロチップに記憶され得る。その場合、前記追加情報又はデータに基づいて、オペレータは、特にいつトライアルレンズが新しいトライアルレンズに交換されるべきかを決定し得る。フレームは、バーコード、データマトリクスコード、又はＱＲコードもそのデータコードとして含み得る。
【００２７】
本発明の構造的に有利な設計に従って、視力検査システムは、その表示装置を制御するための制御装置を包含し得る。ここでは、その制御装置は、リモートコントロール装置として実現され得る。例えば、その制御装置は、携帯電話、又はタブレットコンピュータであり得る。
【００２８】
トライアルフレームは、複数のトライアルレンズも収容し得る。これにより、屈折異常（近視、遠視）、及び乱視、及び/又は両眼視機能障害を同時に矯正することができる。
【００２９】
さらに、そのトライアルフレームは、好ましくは、軸に対する数値を表示するための目盛りを含み得る。その軸は、その場合、そのトライアルフレームの保持ユニットのレンズ台座で、そのトライアルレンズを回転させることにより、設定され得る。
【００３０】
円筒状のトライアルレンズは、好ましくは、トライアルレンズのフレームに、好ましくは、そのフレームのハンドルに、開口部を含み得る。その開口部は、その場合、オペレータ又はカメラにその目盛りが見えるようにし得るので、設定、特にその軸の所定の数値の設定が行われ得て、かつ、その設定された数値がカメラで特定され得る。ここで、その開口部に隣接するそのフレームの一部は、その目盛りの点に配置され得るマーキングを含み得る。
【００３１】
視力検査システムの他の有利な実施形態は、請求項１の方法に関連している、その従属項に含まれる特徴の記載から得られる。
【００３２】
以下で、本発明の推奨の実施形態を、添付の図面を参照してより詳細に説明される。
【図面の簡単な説明】
【００３３】
【図１】図１は、表示装置の正面図を示す。
【図２】図２は、ある１つの実施形態におけるトライアルレンズの正面図を示す。
【図３】図３は、その他の実施形態におけるトライアルレンズの正面図を示す。
【発明を実施するための形態】
【００３４】
図１は、テレビ、又はタブレットコンピュータのようなバックライト付きスクリーン１２を含む表示装置１１を有する視力検査システム１０を示す。表示装置１１は、ここでは図示しないトライアルレンズを特徴付ける光学パラメータの少なくとも１つの数値がそれによって記録されるカメラ１４を有するカメラ装置１３を備える。さらに、視力検査システム１０は、それによって表示装置１１が制御される制御装置（ここでも不図示）を包含し、前記数値は、画像処理により前記制御装置により特定される。スクリーン１２によって、被検者の眼の自覚的屈折値を確定するために、被検者に対して視力検査シンボルが視覚化される。眼の検査中、視力検査システム１０のトライアルフレーム（ここでは不図示）は、トライアルレンズを有しており、被検者の眼の前に配置される。
【００３５】
図２は、レンズ１６と、ハンドル１８を有するフレーム１７とを包含するトライアルレンズ１５を示す。さらに、刻印１９がハンドル１８に施されている。刻印１９は、数値「-1.5」を示し、トライアルレンズ１５が-1.5ディオプトリを有する球面トライアルレンズであることを特徴付ける。
【００３６】
図３は、ハンドル２３及び刻印２４を有するフレーム２２と共に、レンズ２１も包含するトライアルレンズ２０を示す。刻印２４は、「+0.25」という数値を示し、トライアルレンズ２０が+0.25ディオプトリを有する円筒状のトライアルレンズであることを特徴付ける。さらに、フレーム２２のハンドル２３は、開口部２５を含む。トライアルフレームは、ここでは示されていないが、光軸の数値を表示するための目盛りを含む。もしトライアルレンズ２０が、ここでトライアルフレームに配置されていたら、オペレータは、開口部２５から目盛りを見て、軸の値を設定することができる。トライアルレンズ１５、及びトライアルレンズ２０がトライアルフレームとともに被検者の眼の前に配置される場合、トライアルレンズ１５、及び２０は、ハンドル１８が開口部２５を覆わないように回転させることできるが、もし覆った場合は、軸の数値へのオペレータ、又はカメラ１４の視界を遮ることになる。
【図１】
2020199250.tif 000003
【図２】
2020199250.tif 000004
【図３】
2020199250.tif 000005
【外国語明細書】
2020199250000001.pdf